(57)【要約】【課題】コントラストを高くするとともに、視野角を大きくすることが可能な液晶表示装置を提供する。【解決手段】この液晶表示装置１００は、基板１Ａの一方の側に設けられた液晶層１１Ａと、基板１Ｂの基板１Ａとは反対側に設けられた液晶層１１Ｂと、基板１Ａと基板１Ｂとの間に設けられた偏光板９と、液晶層１１Ａの偏光板９とは反対側に設けられた対向基板１０Ａと、液晶層１１Ｂの偏光板９とは反対側に設けられた対向基板１０Ｂと、偏光板９の透過軸と交差する透過軸を有する偏光板１５Ａと、偏光板９の透過軸と交差する透過軸を有する偏光板１５Ｂとを備え、基板１Ａおよび対向基板１０Ａのいずれかの液晶層１１Ａ側には、画素電極２９Ａおよび共通電極３１Ａが設けられ、基板１Ｂおよび対向基板１０Ｂのいずれかの液晶層１１Ｂ側には、画素電極２９Ｂおよび共通電極３１Ｂが設けられている。【選択図】図３
2009288482.tif 000002
【特許請求の範囲】
【請求項１】
第１基板の一方の側に設けられた第１液晶層と、
前記第１基板の前記第１液晶層とは反対側に設けられた第２基板と、
前記第１液晶層と重なるように配置され、前記第２基板の前記第１基板とは反対側に設
けられた第２液晶層と、
前記第１基板と前記第２基板との間に設けられた第１偏光板と、
前記第１液晶層の前記第１偏光板とは反対側に設けられた第１対向基板と、
前記第２液晶層の前記第１偏光板とは反対側に設けられた第２対向基板と、
前記第１液晶層の前記第１偏光板とは反対側に設けられ、前記第１偏光板の透過軸と交
差する透過軸を有する第２偏光板と、
前記第２液晶層の前記第１偏光板とは反対側に設けられ、前記第１偏光板の透過軸と交
差する透過軸を有する第３偏光板とを備え、
前記第１基板および前記第１対向基板のいずれかの前記第１液晶層側には、第１画素電
極および第１共通電極が設けられ、
前記第２基板および前記第２対向基板のいずれかの前記第２液晶層側には、第２画素電
極および第２共通電極が設けられている、液晶表示装置。
【請求項２】
前記第１画素電極および第１共通電極は、前記第１基板に設けられ、
前記第２画素電極および第２共通電極は、前記第２基板に設けられ、
前記第１基板の第１液晶層側および前記第２基板の第２液晶層側には、それぞれ、薄膜
トランジスタが形成され、
前記第１基板と前記第２基板とは、前記第１偏光板を介して対向するように配置されて
いる、請求項１に記載の液晶表示装置。
【請求項３】
前記第１基板および前記第２基板の厚みは、前記第１対向基板および前記第２対向基板
の厚みよりも小さい、請求項１または２に記載の液晶表示装置。
【請求項４】
前記第１基板および前記第２基板は、平面的に見て、前記第１対向基板の一方の端部お
よび前記第２対向基板の一方の端部から突出している、請求項１〜３のいずれか１項に記
載の液晶表示装置。
【請求項５】
前記第１偏光板は、前記第１基板および前記第２基板の略全面に形成されている、請求
項４に記載の液晶表示装置。
【請求項６】
前記第１基板および前記第２基板の前記第１対向基板の一方の端部および前記第２対向
基板の一方の端部から突出した部分には、それぞれ、共通のフレキシブルプリント基板が
接続されている、請求項４または５に記載の液晶表示装置。
【請求項７】
前記第１偏光板の厚みは、前記第２偏光板の厚みおよび前記第３偏光板の厚みよりも小
さい、請求項１〜６のいずれか１項に記載の液晶表示装置。
【請求項８】
前記第１基板および前記第１対向基板の少なくとも一方には、複数色のカラーフィルタ
が設けられている、請求項３〜７のいずれか１項に記載の液晶表示装置。
【請求項９】
前記第１基板および前記第１対向基板の少なくとも一方には、前記複数色のカラーフィ
ルタが設けられ、前記第２基板および前記第２対向基板には、カラーフィルタが設けられ
ていない、請求項８に記載の液晶表示装置。
【請求項１０】
前記第１液晶層に含まれる液晶の初期配向方向と、前記第２液晶層に含まれる液晶の初
期配向方向とは、交差している、請求項１〜９のいずれか１項に記載の液晶表示装置。
【請求項１１】
前記第１液晶層に含まれる液晶の初期配向方向と、前記第２液晶層に含まれる液晶の初
期配向方向とは、略平行である、請求項１〜９のいずれか１項に記載の液晶表示装置。
【請求項１２】
前記第１液晶層に含まれる前記液晶に電界が印加されることにより回転する方向と、前
記第２液晶層に含まれる前記液晶に電界が印加されることにより回転する方向とは、同じ
方向である、請求項１０または１１に記載の液晶表示装置。
【請求項１３】
前記第１液晶層に含まれる前記液晶に電界が印加されることにより回転する方向と、前
記第２液晶層に含まれる前記液晶に電界が印加されることにより回転する方向とは、逆方
向である、請求項１０または１１に記載の液晶表示装置。
【請求項１４】
前記第１液晶層と前記第２偏光板との間、および、前記第２液晶層と前記第３偏光板と
の間の少なくとも一方には、位相差板が設けられている、請求項１〜１３のいずれか１項
に記載の液晶表示装置。
【請求項１５】
前記第１液晶層に含まれる液晶と、前記第２液晶層に含まれる液晶とは、同一の信号に
よって駆動されるように構成されている、請求項１〜１４のいずれか１項に記載の液晶表
示装置。
【請求項１６】
前記第１画素電極および前記第１共通電極の一方と、前記第２画素電極および前記第２
共通電極の一方とには、スリットが設けられている、請求項１〜１５のいずれか１項に記
載の液晶表示装置。
【請求項１７】
前記第１画素電極、前記第１共通電極、前記第２画素電極および前記第２共通電極は、
それぞれ、櫛歯状に形成されている、請求項１〜１５のいずれか１項に記載の液晶表示装
置。
【発明の詳細な説明】
【技術分野】
【０００１】
本発明は、液晶表示装置に関し、特に、第１液晶層と第２液晶層とを備える液晶表示装
置に関する。
【背景技術】
【０００２】
従来、第１液晶層と第２液晶層とを備える液晶表示装置が知られている（たとえば、特
許文献１参照）。上記特許文献１には、第１画素電極と第１対向電極（共通電極）との間
に挟持される第１液晶層と、第２画素電極と第２対向電極との間に挟持される第２液晶層
とを重ね合わせた液晶表示装置が開示されている。この液晶表示装置は、第１液晶層と第
２液晶層とを重ね合わせることにより、第１液晶層のコントラストと第２液晶層のコント
ラストとの積に相当するコントラストを得ることが可能となる。
【０００３】
【特許文献１】特開２００７−３１０１６１号公報
【発明の開示】
【発明が解決しようとする課題】
【０００４】
しかしながら、上記特許文献１に記載の液晶表示装置は、液晶層が１つである液晶表示
装置に比べて、コントラストが高い一方、液晶表示装置の視野角を大きくするのが困難で
あるという問題点がある。
【０００５】
この発明は、上記のような課題を解決するためになされたものであり、この発明の１つ
の目的は、コントラストを高くするとともに、視野角を大きくすることが可能な液晶表示
装置を提供することである。
【課題を解決するための手段および発明の効果】
【０００６】
上記目的を達成するために、この発明の一の局面における液晶表示装置は、第１基板の
一方の側に設けられた第１液晶層と、第１基板の第１液晶層とは反対側に設けられた第２
基板と、第１液晶層と重なるように配置され、第２基板の第１基板とは反対側に設けられ
た第２液晶層と、第１基板と第２基板との間に設けられた第１偏光板と、第１液晶層の第
１偏光板とは反対側に設けられた第１対向基板と、第２液晶層の第１偏光板とは反対側に
設けられた第２対向基板と、第１液晶層の第１偏光板とは反対側に設けられ、第１偏光板
の透過軸と交差する透過軸を有する第２偏光板と、第２液晶層の第１偏光板とは反対側に
設けられ、第１偏光板の透過軸と交差する透過軸を有する第３偏光板とを備え、第１基板
および第１対向基板のいずれかの第１液晶層側には、第１画素電極および第１共通電極が
設けられ、第２基板および第２対向基板のいずれかの第２液晶層側には、第２画素電極お
よび第２共通電極が設けられている。
【０００７】
この一の局面による液晶表示装置では、上記のように、第１液晶層と第２液晶層とを重
ねるように配置することによって、第１液晶層のコントラストと第２液晶層のコントラス
トとの積に相当するコントラストを得ることができるので、液晶層が１つしかない液晶表
示装置と異なり、液晶表示装置のコントラストを高くすることができる。また、第１基板
の第１液晶層側の表面上に第１画素電極および第１共通電極を設け、第２基板の第２液晶
層側の表面上に第２画素電極および第２共通電極を設けることによって、ＩＰＳ（Ｉｎ  
Ｐｌａｎｅ  Ｓｗｉｔｃｈｉｎｇ）方式や、ＦＦＳ（Ｆｒｉｎｇｅ  Ｆｉｅｌｄ  Ｓｗｉ
ｔｃｈｉｎｇ）方式などの液晶表示装置を形成することができるので、視野角を大きくす
ることができる。すなわち、ＩＰＳ方式やＦＦＳ方式では、液晶分子に横方向（斜め方向
）の電界が印加されるので、縦方向に電界が印加される方式と異なり、液晶分子の縦方向
の変化が伴わないので、視野角を大きくすることができる。
【０００８】
上記一の局面による液晶表示装置において、好ましくは、第１画素電極および第１共通
電極は、第１基板に設けられ、第２画素電極および第２共通電極は、第２基板に設けられ
、第１基板の第１液晶層側および第２基板の第２液晶層側には、それぞれ、薄膜トランジ
スタが形成され、第１基板と第２基板とは、第１偏光板を介して対向するように配置され
ている。このように構成すれば、第１基板と第２基板との距離が小さくなるので、たとえ
ば第１基板と第２基板とに共通のフレキシブルプリント基板を容易に接続することができ
る。
【０００９】
上記一の局面による液晶表示装置において、好ましくは、第１基板および第２基板の厚
みは、第１対向基板および第２対向基板の厚みよりも小さい。このように構成すれば、第
１液晶層と第２液晶層との間に位置する第１基板および第２基板の厚みが小さくなる分、
第１液晶層と第２液晶層との距離が小さくなるので、第１液晶層（第２液晶層）の所定の
画素を斜め方向から見た場合、所定の画素に対応する第２液晶層（第１液晶層）の画素に
隣接する画素からの光が、第１液晶層（第２液晶層）の所定の画素から漏れるのを抑制す
ることができる。
【００１０】
上記一の局面による液晶表示装置において、好ましくは、第１基板および第２基板は、
平面的に見て、第１対向基板の一方の端部および第２対向基板の一方の端部から突出して
いる。このように構成すれば、第１基板および第２基板の突出した部分に、容易に、たと
えばフレキシブルプリント基板などを配置することができる。
【００１１】
この場合、好ましくは、第１偏光板は、第１基板および第２基板の略全面に形成されて
いる。このように構成すれば、第１基板、第２基板および第１偏光板を合わせたときの強
度を容易に大きくすることができる。
【００１２】
上記第１基板および第２基板が平面的に見て突出している液晶表示装置において、好ま
しくは、第１基板および第２基板の第１対向基板の一方の端部および第２対向基板の一方
の端部から突出した部分には、それぞれ、共通のフレキシブルプリント基板が接続されて
いる。このように構成すれば、容易に、第１基板上の第１液晶層と、第２基板上の第２液
晶層とに、共通の信号を送信することができる。
【００１３】
上記一の局面による液晶表示装置において、好ましくは、第１偏光板の厚みは、第２偏
光板および第３偏光板の厚みよりも小さい。このように構成すれば、第１液晶層と第２液
晶層との間に位置する第１偏光板の厚みが小さくなる分、第１液晶層と第２液晶層との距
離が小さくなるので、第１液晶層（第２液晶層）の所定の画素を斜め方向から見た場合、
所定の画素に対応する第２液晶層（第１液晶層）の画素に隣接する画素からの光が、第１
液晶層（第２液晶層）の所定の画素から漏れるのを抑制することができる。
【００１４】
上記第１基板および第２基板の厚みが第１対向基板および第２対向基板の厚みよりも小
さい液晶表示装置において、好ましくは、第１基板および第１対向基板の少なくとも一方
には、複数色のカラーフィルタが設けられている。このように構成すれば、たとえば、赤
、緑および青のカラーフィルタを備えることにより、容易に、赤、緑および青の加法混色
により、カラー画像を表示することができる。
【００１５】
この場合、好ましくは、第１基板および第１対向基板の少なくとも一方には、複数色の
カラーフィルタが設けられ、第２基板および第２対向基板には、カラーフィルタが設けら
れていない。このように構成すれば、第１基板（第１対向基板）の表面上と第２基板（第
２対向基板）の表面上との両方にカラーフィルタが設けられる場合と異なり、液晶表示装
置の透過率が小さくなるのを抑制することができる。
【００１６】
上記一の局面による液晶表示装置において、好ましくは、第１液晶層に含まれる液晶の
初期配向方向と、第２液晶層に含まれる液晶の初期配向方向とは、交差している。このよ
うに構成すれば、第１液晶層に含まれる液晶の初期配向方向と第２液晶層に含まれる液晶
の初期配向方向とが同じ場合と異なり、第１液晶層の液晶の視野角特性と、第２液晶層の
液晶の視野角特性とが混ざるので、視野角特性の偏りを抑制することができる。
【００１７】
上記一の局面による液晶表示装置において、第１液晶層に含まれる液晶の初期配向方向
と、第２液晶層に含まれる液晶の初期配向方向とを、略平行にしてもよい。
【００１８】
上記液晶の初期配向方向が交差または略平行な液晶表示装置において、第１液晶層に含
まれる液晶に電界が印加されることにより回転する方向と、第２液晶層に含まれる液晶に
電界が印加されることにより回転する方向とを同じにしてもよい。
【００１９】
上記液晶の初期配向方向が交差または略平行な液晶表示装置において、第１液晶層に含
まれる液晶に電界が印加されることにより回転する方向と、第２液晶層に含まれる液晶に
電界が印加されることにより回転する方向とを逆方向にしてもよい。
【００２０】
上記一の局面による液晶表示装置において、好ましくは、第１液晶層と第２偏光板との
間、および、第２液晶層と第３偏光板との間の少なくとも一方には、位相差板が設けられ
ている。このように構成すれば、たとえば位相差板としてＡプレイトやＣプレイトを用い
ることにより視野角が大きくなることが知られており、位相差板としてＡプレイトやＣプ
レイトを用いることにより、液晶表示装置の視野角を大きくすることができる。
【００２１】
上記一の局面による液晶表示装置において、好ましくは、第１液晶層に含まれる液晶と
、第２液晶層に含まれる液晶とは、同一の信号によって駆動されるように構成されている
。このように構成すれば、容易に、第１液晶層と第２液晶層との動作を同期させることが
できる。
【００２２】
上記一の局面による液晶表示装置において、好ましくは、第１画素電極および第１共通
電極の一方と、第２画素電極および第２共通電極の一方とにはスリットが設けられている
。このように構成すれば、ＦＦＳ方式の液晶表示装置を構成することができる。
【００２３】
上記一の局面による液晶表示装置において、好ましくは、第１画素電極、第１共通電極
、第２画素電極および第２共通電極は、それぞれ、櫛歯状に形成されている。このように
構成すれば、ＩＰＳ方式の液晶表示装置を構成することができる。
【発明を実施するための最良の形態】
【００２４】
以下、本発明の実施形態を図面に基づいて説明する。
【００２５】
（第１実施形態）
図１は、本発明の第１実施形態による液晶表示装置の平面図である。図２は、本発明の
第１実施形態による液晶表示装置の断面図である。図３は、図２の液晶表示装置の拡大断
面図である。まず、図１〜図３を参照して、本発明の第１実施形態による液晶表示装置１
００の構成について説明する。
【００２６】
第１実施形態による液晶表示装置１００は、図２に示すように、液晶パネル１００Ａお
よび液晶パネル１００Ｂを重ね合わせることにより構成されている。液晶パネル１００Ａ
（１００Ｂ）は、図１に示すように、ガラスからなる基板１Ａ（１Ｂ）上に、表示部２、
Ｖドライバ３、Ｈドライバ４が設けられている。また、Ｖドライバ３およびＨドライバ４
には、それぞれ、複数のゲート線５および複数のデータ線６が接続されている。また、ゲ
ート線５とデータ線６とが交差する位置に画素７が配置されている。また、基板１Ａ（１
Ｂ）には、駆動ＩＣ８が設けられており、Ｖドライバ３およびＨドライバ４は、駆動ＩＣ
８に接続されている。また、表示部２は、駆動ＩＣ８に接続されており、後述する共通電
極３１Ａ（３１Ｂ）に共通電位（ＣＯＭ）を供給するように構成されている。
【００２７】
ここで、第１実施形態では、図２に示すように、液晶表示装置１００は、液晶パネル１
００Ａ（基板１Ａ）と液晶パネル１００Ｂ（基板１Ｂ）とを約０．１５ｍｍの厚みを有す
る偏光板９を挟んで重ね合わせることにより構成されており、偏光板９は、基板１Ａと基
板１Ｂとの略全面に形成されている。なお、偏光板９は、本発明の「第１偏光板」の一例
である。また、第１実施形態では、偏光板９の厚みは、後述する偏光板１５Ａの厚みおよ
び偏光板１５Ｂの厚みよりも小さくなるように構成されている。また、偏光板９と基板１
Ａとは樹脂接着剤によって張り合わされているとともに、偏光板９と基板１Ｂとは、樹脂
接着剤によって張り合わされている。
【００２８】
図２に示すように、液晶パネル１００Ａでは、約０．１５ｍｍの厚みを有する基板１Ａ
と対向するように対向基板１０Ａが設けられており、基板１Ａと対向基板１０Ａとの間に
は、液晶層１１Ａが設けられている。なお、基板１Ａおよび対向基板１０Ａは、それぞれ
、本発明の「第１基板」および「第１対向基板」の一例である。また、液晶層１１Ａは、
本発明の「第１液晶層」の一例である。ここで、第１実施形態では、基板１Ａの厚みは、
対向基板１０Ａの厚みよりも小さくなるように構成されている。また、液晶層１１Ａは、
基板１Ａと対向基板１０Ａとを張り合わせるためのシール１２Ａにより、基板１Ａと対向
基板１０Ａとの間に封入されている。
【００２９】
また、第１実施形態では、図３に示すように、対向基板１０Ａと液晶層１１Ａとの間に
は、赤（Ｒ）、緑（Ｇ）および青（Ｂ）の色のカラーフィルタ１３が形成されている。ま
た、対向基板１０Ａの表面上には、赤（Ｒ）、緑（Ｇ）および青（Ｂ）の色のカラーフィ
ルタ１３を分割するように、ブラックマトリクス１４Ａが設けられている。また、１つの
画素７は、赤（Ｒ）のカラーフィルタ１３を有する副画素７Ａと、緑（Ｇ）のカラーフィ
ルタ１３を有する副画素７Ａと、青（Ｂ）のカラーフィルタ１３を有する副画素７Ａとの
３つの副画素７Ａによって構成されている。
【００３０】
なお、液晶層１１Ａの基板１Ａ側と、カラーフィルタ１３側とには、それぞれ、図示し
ない配向膜が設けられている。また、図２に示すように、対向基板１０Ａの液晶層１１Ａ
側と反対の側の表面上には、偏光板１５Ａが設けられている。なお、偏光板１５Ａは、本
発明の「第２偏光板」の一例である。
【００３１】
また、図２に示すように、液晶パネル１００Ｂでは、約０．１５ｍｍの厚みを有する基
板１Ｂと対向するように対向基板１０Ｂが設けられており、基板１Ｂと対向基板１０Ｂと
の間には、液晶層１１Ｂが設けられている。なお、基板１Ｂおよび対向基板１０Ｂは、そ
れぞれ、本発明の「第２基板」および「第２対向基板」の一例である。また、液晶層１１
Ｂは、本発明の「第２液晶層」の一例である。また、第１実施形態では、基板１Ｂの厚み
は、対向基板１０Ｂの厚みよりも小さくなるように構成されている。また、液晶層１１Ｂ
は、基板１Ｂと対向基板１０Ｂとを張り合わせるためのシール１２Ｂにより、基板１Ｂと
対向基板１０Ｂとの間に封入されている。また、図３に示すように、対向基板１０Ｂと液
晶層１１Ｂとの間には、ブラックマトリクス１４Ｂが形成されている。液晶パネル１００
Ｂのブラックマトリクス１４Ｂは、液晶パネル１００Ａのブラックマトリクス１４Ａと対
応する位置に配置されている。なお、第１実施形態では、液晶パネル１００Ｂの副画素７
Ｂでは、上記液晶パネル１００Ａと異なり、カラーフィルタは、形成されない。
【００３２】
また、液晶層１１Ｂの対向基板１０Ｂ側と、ブラックマトリクス１４Ｂ側とには、それ
ぞれ、図示しない配向膜が設けられている。また、対向基板１０Ｂの液晶層１１Ｂ側と反
対の側の表面上には、偏光板１５Ｂが設けられている。なお、偏光板１５Ｂは、本発明の
「第３偏光板」の一例である。
【００３３】
上記のように、液晶層１１Ａと液晶層１１Ｂとの間には、約０．１５ｍｍの厚みを有す
る基板１Ａ、約０．１５ｍｍの厚みを有する偏光板９および約０．１５ｍｍの厚みを有す
る基板１Ｂが挟持されており、液晶層１１Ａと液晶層１１Ｂとの間隔は、約０．４５ｍｍ
となるように構成されている。
【００３４】
また、図２に示すように、液晶パネル１００Ａでは、Ｚ１方向に向かって順番に、基板
１Ａ、液晶層１１Ａ、ブラックマトリクス１４Ａ（カラーフィルタ１３）、対向基板１０
Ａおよび偏光板１５Ａが形成されている一方、液晶パネル１００Ｂでは、Ｚ１方向と反対
のＺ２方向に向かって順番に、基板１Ｂ、液晶層１１Ｂ、ブラックマトリクス１４Ｂ、対
向基板１０Ｂおよび偏光板１５Ｂが形成されている。また、液晶パネル１００Ｂの下方に
はバックライト１６が設けられている。
【００３５】
ここで、第１実施形態では、図２に示すように、基板１Ａおよび基板１Ｂは、平面的に
見て、対向基板１０Ａの一方の端部および対向基板１０Ｂの一方の端部から突出した部分
１１１Ａおよび１１１Ｂを有している。また、第１実施形態では、基板１Ａおよび基板１
Ｂの突出した部分１１１Ａおよび１１１Ｂにそれぞれ、共通のフレキシブルプリント基板
（ＦＰＣ）１７が接続されている。これにより、第１実施形態では、液晶パネル１００Ａ
および液晶パネル１００Ｂに同一の信号を送るように構成されている。なお、フレキシブ
ルプリント基板１７は、液晶パネル１００Ａおよび液晶パネル１００Ｂに接続される側で
は、２つに分割されており、液晶パネル１００Ａおよび液晶パネル１００Ｂに接続される
側と反対の側では、１つにまとめられている。
【００３６】
図４は、本発明の第１実施形態による副画素の平面図である。図５は、本発明の第１実
施形態による副画素の平面図である。図６は、図４の２００−２００線に沿った断面図で
ある。次に、図４〜図６を参照して、本発明の第１実施形態による副画素７Ａ（７Ｂ）の
詳細な構成について説明する。
【００３７】
図６に示すように、基板１Ａの表面上には、バッファ膜２１が形成されている。このバ
ッファ膜２１は、シリコン酸化膜やシリコン窒化膜などからなる。また、バッファ膜２１
の表面上の画素選択用の薄膜トランジスタ（ＴＦＴ）２２が形成される領域には、能動層
２３が形成されている。この能動層２３は、ポリシリコンなどからなる。また、バッファ
膜２１の表面上には、能動層２３を覆うように絶縁膜２４が形成されている。なお、絶縁
膜２４の能動層２３に位置する部分は、ゲート絶縁膜として機能する。この絶縁膜２４は
、シリコン酸化膜やシリコン窒化膜からなる。また、ゲート絶縁膜として機能する絶縁膜
２４の表面上には、ゲート電極として機能するゲート線５が形成されている。このゲート
線５は、クロムやモリブデンを含む金属などからなる。また、絶縁膜２４およびゲート線
５の表面上には、層間絶縁膜２５が形成されている。
【００３８】
また、層間絶縁膜２５には、能動層２３のソース領域２３Ａを露出するためのコンタク
トホール２４Ａおよびドレイン領域２３Ｂを露出するためのコンタクトホール２４Ｂが形
成されている。また、コンタクトホール２４Ａを介してソース領域２３Ａに接続するとと
もに、層間絶縁膜２５の表面上に延びるようにデータ線６が形成されている。このデータ
線６は、アルミニウムやアルミニウム合金を含む金属などからなる。また、コンタクトホ
ール２４Ｂを介してドレイン領域２３Ｂに接続するとともに、層間絶縁膜２５の表面上に
延びるようにドレイン電極２６が形成されている。このドレイン電極２６は、アルミニウ
ムやアルミニウム合金を含む金属などからなる。また、ドレイン電極２６および層間絶縁
膜２５の表面上には、絶縁膜からなるパッシベーション膜２７が形成されている。また、
薄膜トランジスタ２２は、ソース領域２３Ａおよびドレイン領域２３Ｂを含む能動層２３
と、ドレイン電極２６と、ゲート電極（ゲート線５）とから構成されている。この薄膜ト
ランジスタ２２は、後述する画素電極２９Ａに接続されている。
【００３９】
また、パッシベーション膜２７の表面上には、絶縁膜からなる平坦化膜２８が形成され
ている。また、パッシベーション膜２７および平坦化膜２８には、コンタクトホール２８
Ａが形成されている。このコンタクトホール２８Ａは、ドレイン電極２６を露出させるた
めに形成されている。また、平坦化膜２８の表面上には、ＩＴＯ（酸化インジウムスズ）
などの透明電極からなる画素電極２９Ａ（２９Ｂ）が形成されている。なお、画素電極２
９Ａ（２９Ｂ）は、本発明の「第１（第２）画素電極」の一例である。この画素電極２９
Ａ（２９Ｂ）は、コンタクトホール２８Ａを介してドレイン電極２６と接続されている。
この画素電極２９Ａ（２９Ｂ）は、表示信号に応じた電圧が印加されるように構成されて
いる。
【００４０】
また、画素電極２９Ａ（２９Ｂ）の表面上には、シリコン窒化膜などからなる絶縁膜３
０が形成されている。また、絶縁膜３０の表面上には、ＩＴＯ（酸化インジウムスズ）な
どの透明電極からなる共通電極３１Ａ（３１Ｂ）が形成されている。なお、共通電極３１
Ａ（３１Ｂ）は、本発明の「第１（第２）共通電極」の一例である。また、共通電極３１
Ａ（３１Ｂ）の表面上には、図２と同様に、液晶層１１Ａ（１１Ｂ）、カラーフィルタ１
３、対向基板１０Ａ、および、偏光板１５Ａ（１５Ｂ）が積層されている。
【００４１】
上記のように、第１実施形態では、画素電極２９Ａ（２９Ｂ）と共通電極３１Ａ（３１
Ｂ）とは、液晶層１１Ａを挟んで対向するのではなく、基板１Ａ（１Ｂ）側に設けられて
いる。
【００４２】
また、第１実施形態では、図４に示すように、副画素７Ａの共通電極３１Ａには、ゲー
ト線５が延びるＸ方向に対して、４５°の角度をなすように、スリット３２Ａが設けられ
ている。また、第１実施形態では、図５に示すように、副画素７Ｂの共通電極３１Ｂにも
同様に、Ｘ方向に対して４５°の角度をなすスリット３２Ｂが設けられている。これによ
り、副画素７Ａと副画素７Ｂとを図６に示すように合わせた時に、副画素７Ａのスリット
３２Ａの方向と副画素７Ｂのスリット３２Ｂの方向とが平面的に見て交差する。
【００４３】
また、図６に示すように、液晶パネル１００Ｂに対向するようにバックライト１６が設
けられている。バックライト１６は、液晶パネル１００Ｂ側から液晶パネル１００Ａ側に
向けて光が出射されるように構成されている。
【００４４】
図７は、本発明の第１実施形態による液晶表示装置の偏光板の透過軸と配向膜のラビン
グ方向とを説明するための図である。次に、図７を参照して、液晶表示装置１００の偏光
板の透過軸の方向と、液晶層（配向膜）のラビングの方向とについて説明する。
【００４５】
図７に示すように、液晶層１１Ａの表面上に設けられる偏光板１５Ａの透過軸は、Ｘ方
向に対して４５°となっている。そして、液晶層１１Ａを挟持するように設けられる配向
膜の一方（上方）と他方（下方）とのラビングの角度は、それぞれ、２２５°と４５°と
である。また、偏光板９の透過軸は、偏光板１５Ａの透過軸と直交するように１３５°と
なっている。また、液晶層１１Ｂを挟持するように設けられる配向膜の一方（上方）と他
方（下方）のラビングの方向は、それぞれ、３１５°と１３５°である。また、偏光板１
５Ｂの透過軸は、偏光板９の透過軸と９０°異なる４５°となっている。
【００４６】
図８および図９は、本発明の第１実施形態によるＦＦＳ方式の液晶表示装置の動作を説
明するための副画素の平面図である。図１０および図１１は、本発明の第１実施形態によ
るＦＦＳ方式の動作を説明するための副画素の断面図である。図１２は、本発明の第１実
施形態による印加電圧と透過光強度との関係を示す図である。次に、図８〜図１２を参照
して、本発明の第１実施形態によるＦＦＳ方式の液晶表示装置１００の動作について説明
する。なお、図１０および図１１は、図６に示す副画素７Ａの構成を簡略化したものであ
り、基板１Ａ、画素電極２９Ａ、絶縁膜３０、共通電極３１Ａ、対向基板１０Ａ、偏光板
１５Ａおよび液晶３３のみ記載している。
【００４７】
ＦＦＳ（Ｆｒｉｎｇｅ−Ｆｉｅｌｄ−Ｓｗｉｔｃｈｉｎｇ）方式では、図８および図９
に示すように、液晶３３に電圧が印加されない時には、液晶３３は、スリット３２Ａの長
辺３２１Ａおよびスリット３２Ｂの長辺３２１Ｂに対して、矢印Ａ方向（左まわり）に０
°〜２０°程度の角度をなして交差するように配向されている（図８および図９に点線で
示される液晶３３）。つまり、図示しない配向膜のラビング方向が、スリット３２Ａの長
辺３２１Ａ（スリット３２Ｂの長辺３２１Ｂ）に対して、矢印Ａ方向に０°〜２０°程度
の角度をなしている。そして、液晶３３に電圧が印加されない時には、図１０に示すよう
に、すべての液晶３３は、同じ方向（図８および図９に示す、矢印Ａ方向に０°〜２０°
程度の角度をなした方向）に配向されている。なお、液晶３３は、ポジ液晶（電界に対し
て並行になろうとする液晶）であってもよいし、ネガ液晶（電界に対して垂直になろうと
する液晶）であってもよい。また、第１実施形態では、液晶パネル１００Ｂは、液晶パネ
ル１００Ａに対して裏返して配置されるので、液晶パネル１００Ａの液晶３３の初期配向
（液晶３３に電圧を印加しないときの配向）の方向と、液晶パネル１００Ｂの液晶３３の
初期配向（液晶３３に電圧を印加しないときの配向）の方向とが交差するように液晶３３
が配向される。
【００４８】
次に、液晶３３に電圧が印加された時には、図１１に示すように、画素電極２９Ａと共
通電極３１Ａとの間において電界が発生する（図１１の矢印Ｂ）。これにより、図８およ
び図９に示すように、液晶３３は、画素電極２９Ａに平行な面内で矢印Ａ方向に回転され
る。なお、第１実施形態では、液晶パネル１００Ｂは、液晶パネル１００Ａに対して裏返
して配置されるので、実際に液晶３３が回転する方向は、液晶パネル１００Ａの液晶３３
と液晶パネル１００Ｂの液晶３３とでは、逆の方向である。そして、図１２に示すように
、液晶３３に電圧が印加されることにより、画素７Ａ（７Ｂ）の透過光強度は、大きくな
る。たとえば、図１２に示す例では、液晶３３に約４．５Ｖの電圧を印加することにより
、画素７Ａの透過光強度は、約１．０となる。
【００４９】
なお、液晶パネル１００Ａの電圧−透過光強度特性と、液晶パネル１００Ｂの電圧−透
過光強度特性とが同じであれば、液晶パネル１００Ａの液晶３３に印加する電圧と、液晶
パネル１００Ｂの液晶３３に印加する電圧とは、同じにされる。また、液晶パネル１００
Ａの電圧−透過光強度特性と、液晶パネル１００Ｂの電圧−透過光強度特性とが異なる場
合には、液晶パネル１００Ａの最大の透過光強度に対する透過光強度比がＩになる電圧を
Ｖｆ１とし、液晶パネル１００Ｂの最大の透過光強度に対する透過光強度比がＩになる電
圧をＶｆ２とした時に、液晶パネル１００Ａの透過光強度比と液晶パネル１００Ｂの透過
光強度比とがＩになるようにＶｆ１とＶｆ２とが、下記の式（１）のように調整される。
【００５０】
Ｉ[Ｖｆ１]＝Ｉ[Ｖｆ２]      ・・・・・（１）
【００５１】
また、液晶パネル１００Ａの透過光強度が０．１よりも大きいときは、液晶パネル１０
０Ｂの透過光強度が最大になる電圧を印加するようにしてもよい。このとき、液晶パネル
１００Ａの透過光強度比が０．１以下の時には、液晶パネル１００Ａの透過光強度比がＩ
の１０％（０．１×Ｉ）となり、液晶パネル１００Ｂの透過光強度比がＩになるようにＶ
ｆ１とＶｆ２とが、下記の式（２）のように調整される。
【００５２】
０．１×Ｉ[Ｖｆ１]＝Ｉ[Ｖｆ２]      ・・・・・（２）
【００５３】
図１３は、液晶パネルの上下方向のコントラストのシミュレーションの結果を示す図で
ある。図１４は、液晶パネルの左右方向のコントラストのシミュレーションの結果を示す
図である。次に、図１３および図１４を参照して、液晶パネル１００Ａ（１００Ｂ）のコ
ントラストについて行ったシミュレーションについて説明する。
【００５４】
図１３に示すように、単体の液晶層１１Ａ（１１Ｂ）と、本発明の第１実施形態に相当
する液晶層１１Ａおよび液晶層１１Ｂを重ね合わせた場合とでは、液晶層１１Ａおよび液
晶層１１Ｂを重ね合わせた場合の方が、全ての視角においてコントラストが高くなること
が判明した。たとえば、視角が０°の場合、単体の液晶層１１Ａ（１１Ｂ）ではコントラ
ストが約１．０×１０３であるのに対して、液晶層１１Ａおよび液晶層１１Ｂを重ね合わ
せた場合では、コントラストは約７．０×１０５であった。
【００５５】
また、図１４に示すように、液晶パネル１００Ａ（１００Ｂ）の左右方向のコントラス
トについても同様に、液晶層１１Ａおよび液晶層１１Ｂを重ね合わせた場合の方が、全て
の視角においてコントラストが高くなることが判明した。
【００５６】
第１実施形態では、上記のように、液晶層１１Ａと液晶層１１Ｂとを重ねるように配置
することによって、液晶層１１Ａのコントラストと液晶層１１Ｂのコントラストとの積に
相当するコントラストを得ることができるので、液晶層が１つしかない液晶表示装置と異
なり、液晶表示装置１００のコントラストを高くすることができる。また、基板１Ａ側に
画素電極２９Ａおよび共通電極３１Ａを設け、基板１Ｂ側に画素電極２９Ｂおよび共通電
極３１Ｂを設けることによって、ＦＦＳ方式の液晶表示装置を形成することができるので
、視野角を大きくすることができる。すなわち、ＦＦＳ方式では、液晶分子に横方向（斜
め方向）の電界が印加されるので、縦方向に電界が印加される方式と異なり、液晶分子の
縦方向の変化が伴わないので、視野角を大きくすることができる。
【００５７】
また、第１実施形態では、上記のように、基板１Ａと基板１Ｂとを、偏光板９を介して
対向するように配置することによって、基板１Ａと基板１Ｂとの距離が小さくなるので、
液晶パネル１００Ａと液晶パネル１００Ｂとに共通のフレキシブルプリント基板１７を容
易に接続することができる。
【００５８】
また、第１実施形態では、上記のように、基板１Ａおよび基板１Ｂの厚みを、それぞれ
、対向基板１０Ａおよび対向基板１０Ｂの厚みよりも小さくすることによって、液晶層１
１Ａと液晶層１１Ｂとの間に位置する基板１Ａおよび基板１Ｂの厚みが小さくなる分、液
晶層１１Ａと液晶層１１Ｂとの距離が小さくなるので、液晶パネル１００Ａの所定の画素
７を斜め方向から見た場合、所定の画素７に対応する液晶パネル１００Ｂの画素７に隣接
する画素７からの光が、液晶パネル１００Ａの所定の画素７から漏れるのを抑制すること
ができる。
【００５９】
また、第１実施形態では、上記のように、基板１Ａおよび基板１Ｂを平面的に見て、対
向基板１０Ａの一方の端部および対向基板１０Ｂの一方の端部から突出するように構成す
ることによって、基板１Ａおよび基板１Ｂの突出した部分１１１Ａおよび１１１Ｂに、容
易に、フレキシブルプリント基板１７を配置することができる。
【００６０】
また、第１実施形態では、上記のように、偏光板９を基板１Ａおよび基板１Ｂの略全面
に形成することによって、基板１Ａ、基板１Ｂおよび偏光板９を合わせたときの強度を容
易に大きくすることができる。
【００６１】
また、第１実施形態では、上記のように、基板１Ａおよび基板１Ｂの対向基板１０Ａの
一方の端部および対向基板１０Ｂの一方の端部から突出した部分１１１Ａおよび１１１Ｂ
に、それぞれ、共通のフレキシブルプリント基板１７を接続することによって、容易に、
基板１Ａ上の液晶層１１Ａと、基板１Ｂ上の液晶層１１Ｂとに、共通の信号を送信するこ
とができる。
【００６２】
また、第１実施形態では、上記のように、偏光板９の厚みを偏光板１５Ａおよび偏光板
１５Ｂの厚みよりも小さくすることによって、液晶層１１Ａと液晶層１１Ｂとの間に位置
する偏光板９の厚みが小さくなる分、液晶層１１Ａと液晶層１１Ｂとの距離が小さくなる
ので、液晶パネル１００Ａの所定の画素７を斜め方向から見た場合、所定の画素７に対応
する液晶パネル１００Ｂの画素７に隣接する画素７からの光が、液晶パネル１００Ａの所
定の画素７から漏れるのを抑制することができる。
【００６３】
また、第１実施形態では、上記のように、液晶層１１Ａの表面上に、赤、緑および青の
カラーフィルタ１３を設けることによって、容易に、赤、緑および青の加法混色により、
カラー画像を表示することができる。
【００６４】
また、第１実施形態では、上記のように、液晶層１１Ａの表面上には、赤、緑および青
のカラーフィルタ１３を設ける一方、液晶層１１Ｂの表面上には、カラーフィルタ１３を
設けないことによって、液晶層１１Ａの表面上と液晶層１１Ｂの表面上との両方にカラー
フィルタ１３を設ける場合と異なり、液晶表示装置１００の透過率が小さくなるのを抑制
することができる。
【００６５】
また、第１実施形態では、上記のように、液晶層１１Ａに含まれる液晶３３の初期配向
方向（液晶３３に電圧が印加されない時の配向方向）と、液晶層１１Ｂに含まれる液晶３
３の初期配向方向とを交差させることによって、液晶層１１Ａに含まれる液晶３３の初期
配向方向と液晶層１１Ｂに含まれる液晶３３の初期配向方向とが同じ場合と異なり、液晶
層１１Ａの液晶３３の視野角特性と、液晶層１１Ｂの液晶３３の視野角特性とが混ざるの
で、視野角特性の偏りを抑制することができる。
【００６６】
また、第１実施形態では、上記のように、液晶層１１Ａに含まれる液晶３３と、液晶層
１１Ｂに含まれる液晶３３とを同一の信号によって駆動することによって、容易に、液晶
層１１Ａと液晶層１１Ｂとの動作を同期させることができる。
【００６７】
（第２実施形態）
図１５は、本発明の第２実施形態による液晶表示装置の副画素の平面図である。図９お
よび図１５を参照して、この第２実施形態では、上記した第１実施形態とは異なり、液晶
パネル１００Ａの液晶３３の回転する方向と、液晶パネル１００Ｂの液晶３３の回転する
方向とが同じである液晶表示装置１０１について説明する。
【００６８】
この第２実施形態による液晶表示装置１０１では、液晶パネル１００Ａの液晶３３は、
図１５に示すように、液晶３３に電圧が印加されないときには、スリット３２Ａの長辺３
２１Ａに対して、矢印Ｃ方向（右回り）に０°〜２０°の角度をなすように配向されてい
る。これにより、液晶パネル１００Ａの液晶３３に電圧が印加された時、液晶３３は、図
９に示す第１実施形態と異なり、矢印Ｃ方向（右まわり）に回転することが可能となる。
なお、液晶パネル１００Ｂの液晶３３の配向は、図９に示す第１実施形態と同様である。
そして、液晶パネル１００Ｂが液晶パネル１００Ａに対して裏返しに配置されることによ
り、液晶パネル１００Ａの液晶３３の回転する方向と、液晶パネル１００Ｂの液晶３３の
回転する方向とが同じになる。なお、第２実施形態のその他の構成は、上記第１実施形態
と同様である。
【００６９】
また、第２実施形態の効果は、上記第１実施形態と同様である。
【００７０】
（第３実施形態）
図１６は、本発明の第３実施形態による液晶表示装置の断面図である。図７および図１
６を参照して、この第３実施形態では、上記した第１実施形態とは異なり、Ｃプレイト３
４Ａおよび３４Ｂが設けられている液晶表示装置１０２について説明する。
【００７１】
この第３実施形態による液晶表示装置１０２では、液晶パネル１００Ａの対向基板１０
Ａと、偏光板１５Ａとの間に、Ｃプレイト３４Ａが設けられている。また、液晶パネル１
００Ｂの対向基板１０Ｂと、偏光板１５Ｂとの間に、Ｃプレイト３４Ｂが設けられている
。なお、Ｃプレイト３４Ａ（３４Ｂ）は、本発明の「位相差板」の一例である。なお、Ｃ
プレイトに入射する光の偏光軸とＣプレイトから出射する光の偏光軸とは同じになる。こ
れにより、液晶表示装置１０２の偏光板の透過軸とラビング方向との関係は、図７に示す
上記第１実施形態と同様になる。
【００７２】
第３実施形態では、上記のように、液晶層１１Ａと偏光板１５Ａとの間、および、液晶
層１１Ｂと偏光板１５Ｂとの間に、それぞれ、Ｃプレイト３４Ａおよび３４Ｂを設けるこ
とによって、Ｃプレイト３４Ａおよび３４Ｂにより、容易に、視野角を大きくすることが
できる。
【００７３】
なお、第３実施形態のその他の効果は、上記第１および第２実施形態と同様である。
【００７４】
（第４実施形態）
図１７は、本発明の第４実施形態による液晶表示装置の副画素の平面図である。図１７
を参照して、この第４実施形態では、上記した第１〜第３実施形態とは異なり、ＩＰＳ方
式の液晶表示装置１０３について説明する。
【００７５】
この第４実施形態によるＩＰＳ（Ｉｎ−Ｐｌａｎｅ−Ｓｗｉｔｃｈｉｎｇ）方式の液晶
表示装置１０３の副画素７Ｃでは、櫛歯状の画素電極３５と、櫛歯状の共通電極３６とが
、対向するように配置されている。なお、画素電極３５は、本発明の「第１画素電極（第
２画素電極）」の一例である。また、共通電極３６は、本発明の「第１共通電極（第２共
通電極）」の一例である。画素電極３５は、副画素７Ｃごとに設けられており、薄膜トラ
ンジスタ２２のドレイン領域に電気的に接続されている。また、共通電極３６は、全ての
副画素７Ｃに共通に設けられており、図１に示す駆動ＩＣ８から共通電位ＣＯＭが供給さ
れている。また、第４実施形態のその他の構成は、上記第１〜第３実施形態と同様である
。
【００７６】
第４実施形態では、上記のように、画素電極３５および共通電極３６を、それぞれ、櫛
歯状に形成することによって、ＩＰＳ方式の液晶表示装置１０３を構成することができる
ので、縦方向に電界が印加される方式と異なり、視野角を大きくすることができる。
【００７７】
なお、第４実施形態のその他の効果は、上記第１〜第３実施形態と同様である。
【００７８】
なお、今回開示された実施形態は、すべての点で例示であって制限的なものではないと
考えられるべきである。本発明の範囲は、上記した実施形態の説明ではなく特許請求の範
囲によって示され、さらに特許請求の範囲と均等の意味および範囲内でのすべての変更が
含まれる。
【００７９】
たとえば、上記第１〜第４実施形態では、液晶３３に電圧が印加されない時の液晶３３
の配向方向が、液晶パネル１００Ａと液晶パネル１００Ｂとで異なる例を示したが、本発
明はこれに限らず、液晶３３に電圧が印加されない時の液晶３３の配向方向を、液晶パネ
ル１００Ａと液晶パネル１００Ｂとで同じにしてもよい。このとき、液晶３３に電圧が印
加された時の液晶の回転方向を、液晶パネル１００Ａと液晶パネル１００Ｂとで同じ方向
にしてもよいし、異なる方向にしてもよい。
【００８０】
また、上記第１〜第４実施形態では、液晶パネル１００ＡにＲＧＢからなるカラーフィ
ルタ１３を設けるとともに、液晶パネル１００Ｂにはカラーフィルタ１３を設けない例を
示したが、本発明はこれに限らず、液晶パネル１００Ａおよび液晶パネル１００ＢにＲＧ
Ｂからなるカラーフィルタ１３を設けてもよい。
【００８１】
また、上記第１〜第４実施形態では、基板上に画素電極を設け、画素電極上に共通電極
を設ける例を示したが、本発明はこれに限らず、基板上に共通電極を設け、共通電極上に
画素電極を設けてもよい。この場合、スリットは、共通電極ではなく画素電極に設けられ
る。
【００８２】
また、上記第３実施形態では、位相差板としてＣプレイトを用いる例を示したが、本発
明はこれに限らず、位相差板としてＣプレイト以外のＡプレイトなどを用いてもよい。ま
た、ＡプレイトとＣプレイトとを組み合わせて用いてもよい。
【図面の簡単な説明】
【００８３】
【図１】本発明の第１実施形態による液晶表示装置の平面図である。
【図２】本発明の第１実施形態による液晶表示装置の断面図である。
【図３】図２の液晶表示装置の拡大断面図である。
【図４】本発明の第１実施形態による副画素の平面図である。
【図５】本発明の第１実施形態による副画素の平面図である。
【図６】図４の２００−２００線に沿った断面図である。
【図７】本発明の第１実施形態による液晶表示装置の偏光板の透過軸と配向膜のラビング方向とを説明するための図である。
【図８】本発明の第１実施形態によるＦＦＳ方式の液晶表示装置の動作を説明するための副画素の平面図である。
【図９】本発明の第１実施形態によるＦＦＳ方式の液晶表示装置の動作を説明するための副画素の平面図である。
【図１０】本発明の第１実施形態によるＦＦＳ方式の動作を説明するための副画素の断面図である。
【図１１】本発明の第１実施形態によるＦＦＳ方式の動作を説明するための副画素の断面図である。
【図１２】本発明の第１実施形態による印加電圧と透過光強度との関係を示す図である。
【図１３】液晶パネルの上下方向のコントラストのシミュレーションの結果を示す図である。
【図１４】液晶パネルの左右方向のコントラストのシミュレーションの結果を示す図である。
【図１５】本発明の第２実施形態による液晶表示装置の副画素の平面図である。
【図１６】本発明の第３実施形態による液晶表示装置の断面図である。
【図１７】本発明の第４実施形態による液晶表示装置の副画素の平面図である。
【符号の説明】
【００８４】
１Ａ  基板（第１基板）
１Ｂ  基板（第２基板）
９  偏光板（第１偏光板）
１０Ａ  対向基板（第１対向基板）
１０Ｂ  対向基板（第２対向基板）
１１Ａ  液晶層（第１液晶層）
１１Ｂ  液晶層（第２液晶層）
１３  カラーフィルタ
１５Ａ  偏光板（第２偏光板）
１５Ｂ  偏光板（第３偏光板）
１７  フレキシブルプリント基板
２２  薄膜トランジスタ
２９Ａ  画素電極（第１画素電極）
２９Ｂ  画素電極（第２画素電極）
３１Ａ  共通電極（第１共通電極）
３１Ｂ  共通電極（第２共通電極）
３２Ａ、３２Ｂ  スリット
３３  液晶
３４Ａ、３４Ｂ  Ｃプレイト（位相差板）
３５  画素電極（第１画素電極、第２画素電極）
３６  共通電極（第１共通電極、第２共通電極）
【図１】
2009288482.tif 000003
【図２】
2009288482.tif 000004
【図３】
2009288482.tif 000005
【図４】
2009288482.tif 000006
【図５】
2009288482.tif 000007
【図６】
2009288482.tif 000008
【図７】
2009288482.tif 000009
【図８】
2009288482.tif 000010
【図９】
2009288482.tif 000011
【図１０】
2009288482.tif 000012
【図１１】
2009288482.tif 000013
【図１２】
2009288482.tif 000014
【図１３】
2009288482.tif 000015
【図１４】
2009288482.tif 000016
【図１５】
2009288482.tif 000017
【図１６】
2009288482.tif 000018
【図１７】
2009288482.tif 000019